(57)【要約】【課題】スタンプパッドシートを取替え可能に固定し、蓋体の蓋裏にスタンプパッドシートが接触することを防止できるようにした、指紋・掌紋・足紋押捺用スタンプ台を提供することを目的とする。【解決手段】平板状のスタンプパッドシートと、スタンプパッドシートを収納するための収納部と周縁部を有する容器と、容器から独立した蓋体とからなり、スタンプパッドシートの盤面が容器の周縁部上端とほぼ同一の高さになるように収納してなるスタンプ台において、前記スタンプパッドシートが取替え可能となるように螺子でスタンプパッドシートを着脱自在に固定すると共に、蓋体の蓋裏に前記スタンプパッドシートが接触することを防止できるように、前記螺子の頭頂部が前記スタンプパッドシートの盤面よりも上方に位置するように設定したことを特徴とする、指紋・掌紋・足紋押捺用スタンプ台である。【選択図】      図１
2004299221.tif 000002
【特許請求の範囲】
【請求項１】
平板状のスタンプパッドシートと、スタンプパッドシートを収納するための収納部と周縁部を有する容器と、容器から独立した蓋体とからなり、スタンプパッドシートの盤面が容器の周縁部上端とほぼ同一の高さになるように収納してなるスタンプ台において、前記スタンプパッドシートが取替え可能となるように螺子でスタンプパッドシートを着脱自在に固定すると共に、蓋体の蓋裏に前記スタンプパッドシートが接触することを防止できるように、前記螺子の頭頂部が前記スタンプパッドシートの盤面よりも上方に位置するように設定したことを特徴とする、指紋・掌紋・足紋押捺用スタンプ台。
【発明の詳細な説明】
【０００１】
【産業上の利用分野】本発明は、スタンプパッドシートが取替え可能な指紋・掌紋・足紋押捺用スタンプ台に関する。
【０００２】
【従来の技術】従来、スタンプパッドが汚れたり破損したりした場合には、スタンプパッドの盤面層を取替えられるスタンプ台が知られている（例えば、特許文献１参照。）。これは、盤面層のつまみ部を利用してスタンプパッドの盤面層を取替える機構を有している。また、スタンプパッドの盤面を容器の周縁部上端とほぼ同一の高さ、若しくはそれより上方に位置するように構成したスタンプ台が知られている（例えば、特許文献２、特許文献３参照。）。これは、容器に環状縁部を設けて蓋体を嵌着したり、蓋体を枠体に嵌着させたりして、スタンプパッドの盤面層が蓋体の蓋裏に接触することによるインキ汚れを防止している。
【０００３】
【特許文献１】
実公平３−３３４８７号公報（第２頁、第１図−第２図）
【特許文献２】
実開昭４８−４６７１３号公報（第１頁、第１図）
【特許文献３】
実開平２−８５１６７号公報（第１頁、第２図）
【０００４】
【発明が解決しようとする課題】しかしながら、前記スタンプパッドの盤面層を取替えられるスタンプ台では、盤面層のつまみ部や盤面層保持用のつば部を有する構成のため、不用意な怪我の原因となる可能性があった。また、前記スタンプパッドの盤面を容器の周縁部上端とほぼ同一の高さ、若しくはそれより上方に位置するように構成したスタンプ台では、スタンプパッドの盤面層が蓋体の蓋裏に接触することによるインキ汚れを防止するため、蓋体を蝶着させる蝶番や蓋体嵌着用の環状縁部が必須構成要素となっており、不用意な怪我の原因となる可能性があった。一方、蓋体を蝶着させる蝶番や蓋体嵌着用の環状縁部を設けないと、スタンプパッドの盤面層が蓋体の蓋裏に接触してインキで汚れてしまう欠点があり、特に足紋押捺用等の盤面の大きなスタンプ台においては、より汚れが顕著となる問題があった。
【０００５】本発明は、上記従来技術の問題点に着目してなされたもので、前記スタンプパッドシートが取替え可能となるように着脱自在に固定すると共に、蓋体の蓋裏に前記スタンプパッドシートが接触することを防止できるようにした、指紋・掌紋・足紋押捺用スタンプ台を提供することを目的とする。
【０００６】
【課題を解決するための手段】本発明は、前記目的を達成するため次の構成を有する。
【０００７】本発明は、前述の目的を達成するために、平板状のスタンプパッドシートと、スタンプパッドシートを収納するための収納部と周縁部を有する容器と、容器から独立した蓋体とからなり、スタンプパッドシートの盤面が容器の周縁部上端とほぼ同一の高さになるように収納してなるスタンプ台において、前記スタンプパッドシートが取替え可能となるように螺子でスタンプパッドシートを着脱自在に固定すると共に、蓋体の蓋裏に前記スタンプパッドシートが接触することを防止できるように、前記螺子の頭頂部が前記スタンプパッドシートの盤面よりも上方に位置するように設定したことを特徴とする、指紋・掌紋・足紋押捺用スタンプ台である。
【０００８】前記課題解決手段による作用は次の通りである。すなわち、盤面が汚れたり、傷が付いたりしてインキの付着が不均一になり鮮明捺印ができなくなった場合は、スタンプパッドシート固定用の螺子を外し、スタンプパッドシートを反転させ又は交換したのち、螺子を螺合することによって取替えができる。また、螺子の最上端部が容器の周縁部上端およびスタンプパッドシートの盤面よりも上方に位置するため、スタンプパッドシートの盤面が蓋体の蓋裏に接触することによるインキ汚れを防止できる。さらに、スタンプパッドシートの盤面が容器の周縁部上端と同一平面であるので、指、手、足にインキを付着させる際に周縁部が邪魔にならず均一に付着させることができる。また、スタンプパッドシートの中央部分が膨らんでおらず水平なので、インキの付着残しがない。
【０００９】
【発明の実施の形態】以下、図に基づき本発明の実施の形態を詳細に説明する。図１は本発明の実施形態に係るスタンプ台の一部切欠斜視図、図２は図１のＡ−Ａ断面図である。
【００１０】図１乃至図２に示すように、スタンプパッドシート１はインキが含浸された連続多孔質体である。この連続多孔質体は連続気泡を有するオレフィン系樹脂の粉末燒結体で、気孔率３０乃至８０％、気孔径５乃至３０μｍである。容器２は略直方体形状で、上面にスタンプパッドシート１を収納する凹みであるスタンプパッド収納部２１、外周に周縁部３を設け、合成樹脂または金属よりなっている。３１は周縁部上端である。螺子４は合成樹脂または金属よりなり、容器２上面のスタンプパッドシート収納部２１の四隅に螺合され、スタンプパッドシート１を固定する。蓋体５は合成樹脂または金属よりなり、容器２の四隅に螺合された前記螺子４の頭頂部４１に載設する。スタンプパッドシート１に含浸されているインキは、顔料、樹脂、及び添加剤を変性ヒマシ油に分散、溶解してなるもので、粘度は使用される連続多孔質体の気孔径に応じて２００乃至２０００ｃｐｓに調整されている。
【００１１】ここでスタンプパッドシート１は、その他例えば連続気泡を有するポリウレタンフォーム、連続気孔を有する多孔質ゴム材、ポリビニルホルマールの多孔質体、金属多孔質体、プラスチゾル等の材料を用いてもよい。また、スタンプパッドシート１の厚さは、スタンプパッドシート１の盤面が容器２の周縁部上端３１と同一平面でありかつ水平に位置するように構成できれば任意の厚さでよい
【００１２】容器２の平面形状は長方形状が好ましいが、特にこれに限定されるものではなく、円形状、楕円形状等でもよい。また、スタンプパッドシート収納部２１の凹みの高さは、スタンプパッドシート１の盤面が容器２の周縁部上端３１と同一平面でありかつ水平に位置するように構成できれば任意の高さでよい。
【００１３】螺子４はスタンプパッドシート収納部２１の四隅に螺合することが好ましいが、スタンプパッドシート１を固定でき、蓋体５が螺子４の頭頂部４１で載設できれば任意の数と任意の位置でよい。
【００１４】スタンプパッドシート１に含浸されているインキとしては、アクリル樹脂エマルジョン配合水性顔料インキを使用してもよい。インキ成分として、顔料、スチレン／アクリル酸エステル共重合体樹脂、及び添加剤としてグリセリン、多価アルコールを水に分散、溶解してなるもので、粘度は使用される連続多孔質体の気孔径に応じて１０乃至１００ｃｐｓに調整する。
【００１５】次に、上記構成の作用について説明する。上記構成を有する実施形態のスタンプ台によれば、スタンプパッドシート１を螺子４で固定しているため、スタンプパッドシート１の盤面が汚れたり、傷が付いたりしてインキの付着が不均一になり鮮明捺印ができなくなった場合は、螺子４を外し、スタンプパッドシート１を反転させ又は交換したのち、螺子４を螺合することによって容易に取替えができる。螺子４の頭頂部４１が容器２の周縁部上端３１およびスタンプパッドシート１の盤面よりも上方に位置するため、スタンプパッドシート１の盤面が蓋体５の蓋裏に接触することによるインキ汚れを防止できる。スタンプパッドシート１の盤面が容器２の周縁部上端３１と同一平面であるので、指、手、足にインキを付着させる際に周縁部３が邪魔にならず均一に付着させることができる。また、スタンプパッドシート１の中央部分が膨らんでおらず水平なので、インキの付着残しがない。さらに、本発明のスタンプ台は極力単純な構成で、容器２に蓋体５を蝶着したり、スタンプパッドの盤面層を取替えるために、盤面層のつまみ部や盤面層保持用のつば部等を有していないため、指紋、掌紋、足紋押捺用のために使用する本発明のスタンプ台においては、不用意な怪我の原因が低減される。
【００１６】次に、本発明実施例の実施方法を詳細に説明する。まず、使用者はスタンプ台の蓋体５を開け、スタンプパッドシート１の盤面を表にだす。スタンプパッドシート１は前記の通り無数の微細な連続気孔よりなっており、あらかじめインキが含浸されている。使用者は、指の先、手のひら、足の裏をスタンプパッドシート１の表面に押し付けてインキを付着させる。指紋、掌紋、足紋の押捺が終了したら、蓋体５を容器２の四隅に螺合された螺子４の頭頂部４１に載設する。また、長期間の使用等によってスタンプパッドシート１の盤面が汚れたり、傷が付いたりしてインキの付着が不均一になり鮮明捺印ができなくなった場合は、螺子４を外し、スタンプパッドシート１を反転させ又は交換したのち、螺子４を螺合することによって取替える。スタンプパッドシート１の表面は新しい面となり、鮮明捺印できる。
【００１７】
【発明の効果】以上説明したように、この発明によれば、上記構成を有する実施形態のスタンプ台において、スタンプパッドシートを螺子で固定しているため、スタンプパッドシートの盤面が汚れたり、傷が付いたりしてインキの付着が不均一になり鮮明捺印ができなくなった場合は、螺子を外し、スタンプパッドシートを反転させ又は交換したのち、螺子を螺合することによって容易に取替えができる。螺子の頭頂部が容器の周縁部上端およびスタンプパッドシートの盤面よりも上方に位置するため、スタンプパッドシートの盤面が蓋体の蓋裏に接触することによるインキ汚れを防止できる。スタンプパッドシートの盤面が容器の周縁部上端と同一平面であるので、指、手、足にインキを付着させる際に周縁部が邪魔にならず均一に付着させることができる。また、スタンプパッドシートの中央部分が膨らんでおらず水平なので、インキの付着残しがない。さらに、本発明のスタンプ台は極力単純な構成で、容器に蓋体を蝶着したり、スタンプパッドの盤面層を取替えるために、盤面層のつまみ部や盤面層保持用のつば部等を有していないため、指紋、掌紋、足紋押捺用のために使用する本発明のスタンプ台においては、不用意な怪我の原因が低減される。
【図面の簡単な説明】
【図１】本発明スタンプ台の一部切欠斜視図
【図２】図１のＡ−Ａ断面図
【符号の説明】
１  スタンプパッドシート
２  容器
３  周縁部
４  螺子
５  蓋体
【図１】
2004299221.tif 000003
【図２】
2004299221.tif 000004